(57)【要約】【課題】  大型化することなく、ファンの振動に起因する騒音を著しく低減できるファン保持構造を提供する。【解決手段】  上記目的を達成するため、本発明のファン保持構造は、ファンと、前記ファンを支持し、エラストマーから成る支持部材と、で構成されるファン保持構造であって、前記支持部材は、前記ファンの羽根の回転軸に略垂直な第１の面、および前記羽根の回転軸に略平行な第２の面で、前記ファンを囲むように形成されると共に、前記ファンを支持する支持部を具備し、前記ファンは、前記第２の面との間に隙間を有すること、を特徴とする。【選択図】  図４
2019082159.tif 000002
【特許請求の範囲】
【請求項１】
ファンと、前記ファンを支持し、エラストマーから成る支持部材と、で構成されるファン保持構造であって、前記支持部材は、前記ファンの羽根の回転軸に略垂直な第１の面、および前記羽根の回転軸に略平行な第２の面で、前記ファンを囲むように形成されると共に、前記ファンを支持する支持部を具備し、前記ファンは、前記第２の面との間に隙間を有すること、を特徴とするファン保持構造。
【請求項２】
前記支持部材の材質は、シリコーンゴムであること、を特徴とする請求項１に記載のファン保持構造。
【請求項３】
前記ファンは、前記羽根の回転軸方向に略平行に形成される少なくとも２つの孔を有し、
前記支持部は、前記羽根に対して前記支持部材を固定する固定部と反対側に設けられる前記第１の面から前記羽根の回転軸方向に略平行に形成されると共に、前記孔に挿入され、前記ファンを支持する少なくとも２つの突起部を有することを特徴とする、請求項１または２に記載のファン保持構造。
【請求項４】
前記突起部は、前記ファンを支持する鍔部を有すること、を特徴とする、請求項３に記載のファン保持構造。
【請求項５】
前記鍔部は、錘状の形状であること、を特徴とする、請求項３または請求項４に記載のファン保持構造。
【請求項６】
前記支持部材は、前記第２の面に開口を有すること、を特徴とする、請求項１から５のいずれか一項に記載のファン保持構造。
【請求項７】
前記支持部材は、前記第１の面と前記第２の面の間に設けられ、前記第１の面と前記第２の面のそれぞれに対して鈍角で交わる第３の面を有すること、を特徴とする、請求項１から６のいずれか一項に記載のファン保持構造。
【発明の詳細な説明】
【技術分野】
【０００１】
本発明はファンの保持構造に関する
【背景技術】
【０００２】
ファンは、プロジェクターやパーソナルコンピューターなど多くの電子装置において部品の冷却のために搭載されている。特に、ネットワークカメラでは、幅広い温度環境下での使用に対応するため、ファンを筐体内に設けて熱源（撮像素子や基板など）を冷却している。
【０００３】
一方で、ネットワークカメラは壁に設置されて使用されるため、ファンの振動が筐体から壁面へと伝達される。ファンの振動の大きな原因の一つは、重心と回転中心のズレ量、偏心量である。そのため、偏心量が大きくファンの振動が大きい場合には、壁面から騒音が発生してしまう。また、偏心量が小さくファンの振動が小さい場合においても、筐体あるいは壁面の固有振動数によっては騒音が発生することが懸念される。したがって、ファンの振動による騒音発生を減らすために、壁面に伝達されるファンの振動を極力小さくすることが望まれる。
【０００４】
ファンの振動を抑制するためには、ファンの振動周波数に対してファン保持構造の固有振動数を可能な限り小さくすることが有効である。一般的に固有振動数は、ばね定数が小さくなると低周波側にシフトすることが知られている。そのため、ファンの振動を抑制するには、材質の特性からばね定数が相対的に小さいゴムや発泡体などからなる防振部材がよく使用される。例えば、特許文献１では防振スポンジをファンに取り付けることで、ファンの振動を抑制している。
【先行技術文献】
【特許文献】
【０００５】
【特許文献１】特開２００８−１９０４３４
【発明の概要】
【発明が解決しようとする課題】
【０００６】
特許文献１は、軸流ファン吸引側及び吐出側の筒状のフレームにフランジが設けられており、フレームの外周面を包み、フランジの間に介装させてある防振スポンジを備える、構成である。しかしながら、大きい偏心量のためファンの振動が大きく、振動をより著しく抑制させる必要がある場合には、ばね定数を小さくし固有振動数をより低周波側にシフトさせるため、防振スポンジのサイズが大型化する可能性がある。
【０００７】
そこで、本発明の目的は、大型化することなく、ファンの振動に起因する騒音を著しく低減できるファン保持構造を提供することである。
【課題を解決するための手段】
【０００８】
上記課題を解決するために、本発明のファン保持構造は、ファンと、前記ファンを支持し、エラストマーから成る支持部材、で構成されるファン保持構造であって、前記支持部材は、前記ファンの羽根の回転軸に略垂直な第１の面、および前記羽根の回転軸に略平行な第２の面で、前記ファンを囲むように形成されると共に、前記ファンを支持する支持部を具備し、前記ファンは、前記第２の面との間に隙間を有すること、を特徴とする。
【発明の効果】
【０００９】
本発明によれば、大型化することなく、ファンの振動に起因する騒音を著しく低減できるファン保持構造を提供できる。
【図面の簡単な説明】
【００１０】
【図１】第１の実施形態に係るファン保持構造をネットワークカメラに適用したネットワークカメラの分解斜視図である。
【図２】第１の実施形態に係るファン保持構造をネットワークカメラに適用したネットワークカメラの断面図である。
【図３】第１の実施形態に係るファン保持構造の斜視図及び分解斜視図である。
【図４】第１の実施形態に係るファン保持構造をネットワークカメラに適用したネットワークカメラの詳細図である。
【図５】第２の実施形態に係る支持部材の斜視図である。
【図６】第３の実施形態に係る支持部材の正面図である。
【発明を実施するための形態】
【００１１】
（第１の実施形態）
以下に、本発明の好ましい実施の形態を、添付の図面に基づいて詳細に説明する。
【００１２】
第１の実施形態は、本発明のファン保持構造をネットワークカメラに適用したものである。なお、本実施形態ではネットワークカメラを例示したが、これに限定されず、他のファンを備える電子機器に適用できる。
【００１３】
図１は第１の実施形態に係るファン保持構造をネットワークカメラに適用したネットワークカメラの分解斜視図、図２は第１の実施形態に係るファン保持構造をネットワークカメラに適用したネットワークカメラの断面図である。
【００１４】
ネットワークカメラは、ドームカバー２及び筐体３によって形成される外装の内部にレンズユニット４、メインベース５、ファン保持構造１が設けられており、壁面に取り付けて使用される。なお、本来ネットワークカメラには、プリント基盤やモーターなど、その他多くの部品が必要とされるが、本実施形態において関係がないため省略する。
【００１５】
レンズユニット４は、不図示のレンズ群、レンズホルダ、プリント基板、撮像素子などを備え、不図示のビスなどによりメインベース５に固定される。
【００１６】
メインベース５は、ファン保持構造１を固定する固定部５ａを具備し、不図示のビスなどにより筐体３に固定される。固定部５ａはメインベース５に設けたが、筐体３に設けても良い。
【００１７】
ファン保持構造１は、メインベース５に設けられた固定部５ａに固定され、ファン１０は不図示の熱源（撮像素子やプリント基板など）を冷却している。
【００１８】
図３は、第１の実施形態に係るファン保持構造の斜視図及び分解斜視図である。
【００１９】
ファン保持構造１は、ファン１０、ファン１０を支持する支持部材２０から構成される。
【００２０】
ファン１０は、不図示のモーター、羽根１０１、フレーム１０２で構成され、羽根１０１が取り付けられたモーターがフレーム１０２に固定される。また、ファン１０は羽根１０１の回転軸と風の吹き出し方向が平行である軸流ファンであり、フレーム１０２には少なくとも２つの貫通孔１０２ａが羽根１０１の回転軸と略平行に設けられている。
【００２１】
支持部材２０はエラストマーから成り、羽根１０１の回転軸方向に略垂直な第１の面２０１、羽根１０１の回転軸方向に略平行な少なくとも１つの第２の面２０２で、ファン１０を囲むように形成されると共に、ファン１０を支持する支持部２０３を具備する。第１の面２０１には、風路を遮らないように孔２０１ａが設けられている。また、第１の面２０１は、羽根１０１に対して固定部５ａ反対側に設けられている。支持部２０３は、第１の面２０１から羽根１０１の回転軸と略平行に伸びる少なくとも２つの突起部２０３ａであり、突起部２０３ａの先端ないし先端及び根元にファン１０を支持する鍔部２０３ｂを備える。
【００２２】
図４は第１の実施形態に係るファン保持構造をネットワークカメラに適用した詳細図である。
【００２３】
ファン１０は、ファン１０に設けられた貫通孔１０２ａに支持部材２０の支持部２０３を挿入することで、鍔部２０３ｂによって支持される。支持部材２０は、支持部材２０の取り付け孔２０２ａを伸張させながらメインベース５に設けられた固定部５ａに嵌合される。
【００２４】
支持部材２０が取り付けられたファン１０は、支持部２０３のみによって支持されており、第２の面２０２との間に隙間を有する。そのため、ファン１０から発生する振動は、支持部２０３から第１の面２０１、第２の面２０２を通ってメインベース５へ伝達される。一方、隙間がない場合は第２の面２０２からメインベース５へ振動が伝達される。よって、本実施例を隙間がない場合と比較するとメインベース５までの振動の伝達経路が長くなる。振動の伝達経路が長いほどファン保持構造１のばね定数は小さくなり、その固有振動数が相対的に低周波側にシフトされる。さらに、支持部材２０が相対的にばね定数の小さいエラストマーから形成されていることにより、ファン保持構造１の固有振動数は相対的に低周波側にシフトされる。よって、本実施例はファン１０の振動を著しく抑制できる。
【００２５】
加えて、本実施例では、支持部材２０がファン１０を囲うように形成されると共に、ファン１０と第２の面２０２との間に隙間を有すれば良い。したがって、省スペースでありながらファン１０の振動を抑制可能である。
【００２６】
また、一般的に振動源と防振部材の接触面積が小さいほど振動が抑制されることが知られている。そのため、鍔部２０３ｂの形状は錘状が好ましい。ファン１０と支持部２０３が、錘状の鍔部２０３ｂで略線接触することでファン１０と支持部２０３の接触面積を減らすことができ、振動抑制効果は高くなる。支持部２０３が伸縮した場合、エラストマーの材質の特性上、支持部２０３の弾性が低下し振動抑制効果が低下する。したがって、支持部２０３がファン１０に圧接しないように、同一突起部２０３ａ上の錘部２０３ｂ間の距離はファン１０の厚み方向（羽根１０１の回転軸方向）より長いほうが望ましい。また、突起部２０３ａの横断面形状はファン１０に設けられた貫通孔１０３の径より小さいほうが望ましい。
【００２７】
支持部材２０の厚みは薄いほどばね定数が小さくなり、固有振動数が相対的に低周波側にシフトする。ファン１０を安定して支持できる支持部材２０の厚みは、ファン１０の重量によって変動するが、極力薄いほうが振動抑制効果は高くなる。
【００２８】
本実施例では、振動の伝達経路の長さ及び支持部材２０の材質の特性によって、ファン保持構造１の固有振動数を相対的に低周波側にシフトさせることができ、ファン１０の振動を抑制できる。したがって、ファン１０と支持部材２０の固定方法は任意の構造でも良い。同様に支持部材２０とメインベース５の固定方法もビス固定など他の手段でも良い。
【００２９】
本発明においてエラストマーとは、弾性のある高分子材料のことを指し、ゴム及び熱可塑性エラストマーが含まれる。本実施例においては、特に好ましい材質の１つとしてシリコーンゴムが挙げられる。有機系ゴムは、一般的に低温下において弾性が低下し、振動抑制効果が低下するのに対し、シリコーンゴムは耐寒性に優れており、低温下でも弾性が低下することなく振動抑制効果を維持できる。
【００３０】
本実施例では振動源として軸流ファンを例に挙げたが、送風機に広く適用することができる。
【００３１】
また、送風機の風路が遮れられないように、支持部材２０、メインベース５に任意の構造を設けることが好ましい。
【００３２】
（第２の実施形態）
図５は第２の実施形態に係る支持部材の斜視図である。
【００３３】
第２の実施形態では、第２の面２０２に開口２０２ｂが設けられているが、その他の構成は第１の実施形態と同様であるため、説明を省略する。開口２０２ｂは、４つの角にそれぞれ設けられている。このような構成によれば、支持部材２０のばね定数を小さくし、固有振動数を相対的に低周波側にシフトさせることができる。そのため、第２の実施形態では、ファン１０の厚み方向（羽根１０１の回転軸方向）が非常に薄く、振動の伝達経路が長くできない場合においても、ファン１０の振動を抑制することができる。
【００３４】
（第３の実施形態）
図６は第３の実施形態に係るファン保持構造の正面図である。
【００３５】
第３の実施形態では、第１の面２０１と第２の面２０２の間に設けられ、前記第１の面と前記第２の面のそれぞれに対して鈍角で交わる第３の面２０４を有しているが、その他の構成は第１の実施形態と同様であるため、説明を省略する。
【００３６】
支持部材２０がファン１０の重量でたわんだ際、第２の面２０２が内側にたわむと、ファン１０が第２の面２０２に触れてしまう可能性がある。ファン１０が第２の面２０２に触れた場合、ファン１０の振動の伝達経路が短くなり振動抑制効果が低下する。一方、本実施例では第３の面２０４を設けることで、第２の面２０２が外側にたわむように規制し、ファン１０との第２の面２０２の隙間を保つことができる。そのため、第３の実施形態では、小型化を狙いファン１０と第２の面２０２の隙間が微小になる場合においても、振動抑制効果を維持できる。
【００３７】
以上、本発明の好ましい実施形態について説明したが、本発明はこれらの実施形態に限定されず、その要旨の範囲内で種々の変形及び変更が可能である。
【符号の説明】
【００３８】
１  ファン保持構造
１０  ファン
１０１  羽根
２０  支持部材
２０１  第１の面
２０２  第２の面
２０３  支持部
【図１】
2019082159.tif 000003
【図２】
2019082159.tif 000004
【図３】
2019082159.tif 000005
【図４】
2019082159.tif 000006
【図５】
2019082159.tif 000007
【図６】
2019082159.tif 000008